(57)【要約】【課題】電線を座屈させることなく端子金具を正規姿勢で挿入できるようにすること【解決手段】ゴム栓３０の後面に密着して配置されたゴム栓押さえ３６の後方には姿勢矯正部材４５が仮係止位置と本係止位置との間を移動可能に保持されている。仮係止位置では、姿勢矯正部材４５の基部４６前面がゴム栓押さえ３６の後面から離間することでこの間に空間５５が形成され、ゴム栓押さえ３６の後面には座屈規制壁３９，４０が空間５５内へ延出形成されている。この仮係止位置では、端子挿入孔５１２雄端子金具１０の本体部１１を嵌入することで雄端子金具１０の姿勢を矯正し、且つ姿勢を矯正した状態でタブ部１２が電線挿通孔３１に到達するようになっている。また、空間５５内に座屈規制壁３９，４０が配置されているため電線１４がこれらに当接することで座屈が規制される。【選択図】　図１０
2004063266.tif 000002
【特許請求の範囲】
【請求項１】
本体部の後部に電線が装着された端子金具と、
前記端子金具を後方から差し込んで収容可能な複数のキャビティを備えたコネクタハウジングと、
前記コネクタハウジングの後部に配され、前記キャビティと対応する位置に前記電線を密着して挿入可能な複数個の電線挿通孔を有するゴム栓と、
前記コネクタハウジングの後部で且つ前記ゴム栓の後方に取り付けられ、前記端子金具を挿入可能であると共に前記本体部を嵌入した状態で前記端子金具の姿勢を矯正可能な端子挿入孔が前記電線挿通孔と同軸上に対応して設けられ、少なくとも前記端子金具挿入時には前記ゴム栓の後面から後方へ離間した位置に保持される姿勢矯正部材とからなる防水コネクタであって、
前記姿勢矯正部材は、前記端子金具の挿入時には前記端子金具の姿勢を矯正した状態でもって前記端子金具の先端を前記ゴム栓の後面に至らしめることを可能にする空間を前記ゴム栓の後面との間に介した状態で保持されており、またこの空間には、前記端子金具の挿抜を阻害しない位置において前後方向に沿って延び、且つ前記電線の外周面と当たり合うことで前記電線の挿入方向と交差する方向への前記電線の座屈を規制可能な座屈規制壁が配されていることを特徴とする防水コネクタ。
【請求項２】
前記ゴム栓の後面には、前記端子金具を遊挿可能な貫通孔を備えたゴム栓押さえが配置され、前記コネクタハウジングと係止し合うことで前記ゴム栓の後方へのずれを規制可能となっており、
前記座屈規制壁は前記ゴム栓押さえの後面から後方へ向けて一体に延出形成されていることを特徴とする請求項１記載の防水コネクタ。
【請求項３】
前記姿勢矯正部材は、前記ゴム栓押さえの後面から後方へ離間し前記端子金具の挿入が行われる仮係止位置と、前記仮係止位置から前方の前記空間へ押し込まれた本係止位置との間を移動可能に保持され、前記姿勢矯正部材の前面には、この姿勢矯正部材が前記本係止位置に保持された状態において前記座屈規制壁を収容可能な凹部が形成されていることを特徴とする請求項２記載の防水コネクタ。
【請求項４】
前記コネクタハウジングの後部には、後方へ向けて開口し前記ゴム栓と前記ゴム栓押さえと前記姿勢矯正部材とを収容可能な収容部が形成され、前記姿勢矯正部材が前記仮係止位置にある時には、この姿勢矯正部材は前記収容部の後端部から後方へ突出した位置に保持され、また、前記姿勢矯正部材が前記本係止位置にある時には、この姿勢矯正部材は前記収容部内に収容されるようになっていることを特徴とする請求項３記載の防水コネクタ。
【発明の詳細な説明】
【０００１】
【発明の属する技術分野】
本発明は、防水コネクタに関する。
【０００２】
【従来の技術】
従来この種の防水コネクタとして、図１５に示すものが知られている。このものは雄側の防水コネクタであって、複数のキャビティ２が形成された雄ハウジング１の後面に、全キャビティ２を覆える大きさを有して各キャビティ２と対応する位置ごとに電線挿通孔４を設けた一括型のゴム栓３が配され、このゴム栓３が、電線挿通孔４と対応する位置ごとに端子挿入口６が開口されたゴム栓ホルダ５で押さえられた構造となっている。そして、電線Ｗの端末に固着された雄側端子金具７がゴム栓ホルダ５の対応する端子挿入口６から挿入され、電線挿通孔４を弾性的に押し広げつつゴム栓３を貫通してキャビティ２内に差し込まれ、雄側端子金具７が通過したのち電線挿通孔４の内面を電線Ｗの外周に密着させることでシールを取るようになっている。なお、このような防水コネクタは、特開平６−２０３９０２号等に記載されている。
【０００３】
【発明が解決しようとする課題】
しかるに従来のものでは、図１５の上段に示すように、雄側端子金具７が斜め姿勢で差し込まれると、先端のタブ８がゴム栓３の電線挿通孔４の内面に突き当たり、タブ８を変形させたり、ゴム栓３に傷を付けてしまうおそれがあった。
【０００４】
これを避けるには、例えば雄端子金具７の挿入時にゴム栓ホルダ５をゴム栓３の後面から離れた位置に配置しておき、端子挿入口６からゴム栓３の後面までの距離を長く取ることで、雄端子金具７の先端がゴム栓３の後面に到達するまでの間に雄端子金具７の真直姿勢（電線挿通孔４の軸芯と雄端子金具７の軸芯とが同軸となった状態）に向けて矯正するものが考えられる。
【０００５】
しかし、このようなものでは、ゴム栓ホルダ５をゴム栓３の後面より後方に配置しているためゴム栓ホルダ５の前面とゴム栓３の後面との間の領域が空洞状態となる。雄端子金具７の挿入作業時において、この空洞内に電線Ｗが進入するまで雄端子金具７を挿入した後、例えば雄端子金具７の挿入抵抗が抵抗が大きいと、電線Ｗをつまんで押し入れても雄端子金具７は挿入されずに、撓み性を有する電線Ｗが空洞内で座屈してしまい、円滑な挿入作業を行えないという問題があった。なおこのような問題は、雌側の防水コネクタでも同様に生ずるところである。
【０００６】
本発明は上記のような事情に基づいて完成されたものであって、電線を座屈させることなく端子金具を正規姿勢で挿入できるようにすることを目的とする。
【０００７】
【課題を解決するための手段】
上記の目的を達成するための手段として、請求項１の発明は、本体部の後部に電線が装着された端子金具と、前記端子金具を後方から差し込んで収容可能な複数のキャビティを備えたコネクタハウジングと、前記コネクタハウジングの後部に配され、前記キャビティと対応する位置に前記電線を密着して挿入可能な複数個の電線挿通孔を有するゴム栓と、前記コネクタハウジングの後部で且つ前記ゴム栓の後方に取り付けられ、前記端子金具を挿入可能であると共に前記本体部を嵌入した状態で前記端子金具の姿勢を矯正可能な端子挿入孔が前記電線挿通孔と同軸上に対応して設けられ、少なくとも前記端子金具挿入時には前記ゴム栓の後面から後方へ離間した位置に保持される姿勢矯正部材とからなる防水コネクタであって、前記姿勢矯正部材は、前記端子金具の挿入時には前記端子金具の姿勢を矯正した状態でもって前記端子金具の先端を前記ゴム栓の後面に至らしめることを可能にする空間を前記ゴム栓の後面との間に介した状態で保持されており、またこの空間には、前記端子金具の挿抜を阻害しない位置において前後方向に沿って延び、且つ前記電線の外周面と当たり合うことで前記電線の挿入方向と交差する方向への前記電線の座屈を規制可能な座屈規制壁が配されている構成としたところに特徴を有する。
【０００８】
請求項２の発明は、請求項１に記載のものにおいて、前記ゴム栓の後面には、前記端子金具を遊挿可能な貫通孔を備えたゴム栓押さえが配置され、前記コネクタハウジングと係止し合うことで前記ゴム栓の後方へのずれを規制可能となっており、前記座屈規制壁は前記ゴム栓押さえの後面から後方へ向けて一体に延出形成されているところに特徴を有する。
【０００９】
請求項３の発明は、請求項２に記載のものにおいて、前記姿勢矯正部材は、前記ゴム栓押さえの後面から後方へ離間し前記端子金具の挿入が行われる仮係止位置と、前記仮係止位置から前方の前記空間へ押し込まれた本係止位置との間を移動可能に保持され、前記姿勢矯正部材の前面には、この姿勢矯正部材が前記本係止位置に保持された状態において前記座屈規制壁を収容可能な凹部が形成されているところに特徴を有する。
【００１０】
請求項４の発明は、請求項３に記載のものにおいて、前記コネクタハウジングの後部には、後方へ向けて開口し前記ゴム栓と前記ゴム栓押さえと前記姿勢矯正部材とを収容可能な収容部が形成され、前記姿勢矯正部材が前記仮係止位置にある時には、この姿勢矯正部材は前記収容部の後端部から後方へ突出した位置に保持され、また、前記姿勢矯正部材が前記本係止位置にある時には、この姿勢矯正部材は前記収容部内に収容されるようになっているところに特徴を有する。
【００１１】
【発明の作用及び効果】
＜請求項１の発明＞
姿勢矯正部材がゴム栓の後面との間に空間を介した位置に保持された状態で端子金具を端子挿入孔に挿入すると、本体部が端子挿入孔に嵌入されることでガイドされ、端子金具の先端がゴム栓に到達する前に端子金具の姿勢が矯正されるため、端子金具の先端がゴム栓に突き当たってゴム栓を傷付けるような事態を防止できる。
【００１２】
さらに端子金具をキャビティに向けて押し入れていき、電線が空間に進入するまで挿入された状態において、端子金具に対する挿入抵抗が大きくて挿入しにくい場合に電線をつまんで強く前方へ押し込んでも、空間に配された座屈規制壁に電線の外周面が当接することで、端子金具の挿入方向と交差する方向への電線の座屈が規制される。よって、端子金具の円滑な挿入が可能となる。
【００１３】
＜請求項２の発明＞
姿勢矯正部材がゴム栓の後面から後方へ離間した位置に保持されている状態においてキャビティに装着された端子金具を抜き取ろうとすると、端子金具と共にゴム栓が後方へずれてしまう虞があるが、請求項２の発明によれば、コネクタハウジングに係止したゴム栓押さえがゴム栓の後面に配置されているため、ゴム栓はゴム栓押さえにより押さえられ後方へずれることがない。
【００１４】
また、ゴム栓押さえの後面に座屈規制壁を一体に延出形成することで、ゴム栓押さえに電線の座屈を規制する機能を併せ持たせることができると共に、ゴム栓押さえと座屈規制壁とを別個に形成する場合に比べて簡素な構造とすることが出来る。
【００１５】
＜請求項３の発明＞
端子金具挿入後に姿勢矯正部材を仮係止位置から前方へ押し込むと、座屈規制壁が凹部内に収容されるため、姿勢矯正部材を本係止位置に移動可能となる。また、姿勢矯正部材が本係止位置に押しこまれて保持されることで、コネクタハウジングの前後方向の寸法を小さくすることが出来る。
【００１６】
＜請求項４の発明＞
姿勢矯正部材は、本係止位置に保持されると収容部内に収容されるため、姿勢矯正部材がコネクタハウジングから無駄に突出しなくてすむ。
【００１７】
【発明の実施の形態】
以下、本発明の実施形態を図１ないし図１４に基づいて説明する。これらの図に示す防水コネクタは、雄ハウジング１５（コネクタハウジング）、雄端子金具１０（端子金具）、一括型のゴム栓３０、ゴム栓押さえ３６、姿勢矯正部材４５とからなっている。なお、以下では図１における右側を前方として説明する。
【００１８】
雄端子金具１０は、角筒状の本体部１１と、本体部１１の前端から細長く延出されたタブ部１２と、本体部１１の後端に設けられ電線１４をかしめて圧着するバレル部１３とからなっている。
【００１９】
雄ハウジング１５は、合成樹脂によりブロック状に形成されている。端子収容部１７の前面側には前方に向けて開口したフード部１６が相手側の雌ハウジング（図示せず）を嵌合可能に形成されており、端子収容部１７の後面側には前記したゴム栓３０、ゴム栓押さえ３６、姿勢矯正部材４５を収容可能な装着筒部２０（収容部）が後方に向けて開口して設けられている。
【００２０】
端子収容部１７には、雄端子金具１０を収容可能な複数個のキャビティ１８が前後に貫通して設けられている。各キャビティ１８の天井壁には弾性的に撓み可能なランス１９が形成され、雄端子金具１０の本体部１１に引っ掛かることで雄端子金具１０を抜け止め可能としている。図２に示すように、これらのキャビティ１８は、左右及び中央の３ブロックに分かれて形成されており、左右のブロックには幅方向に４個ずつ並列したキャビティ１８が上下に３段、中央のブロックには３個ずつ並列したキャビティが３段配されている。また、この各ブロック間には、後述するガイド孔２２が一対設けられ、かつ各ガイド孔２２を上下に挟む位置には凸部２１が各ブロック間に２個ずつ、端子収容部１７の後面（装着筒部２０の奥面）から後方へ向けて突設されている。なお、図示はしないが、端子収容部１７の前方には、フロントリテーナが装着され、ランス１９の撓み空間に進入してランス１９の撓みを規制することが出来る。
【００２１】
装着筒部２０の奥面には、図１，図３に示す一括型のゴム栓３０が密着して配され、全キャビティ１８を覆うことが可能となっている。ゴム栓３０の外周面には、全周に亘り３条のリップ片３４が設けられ、装着筒部２０の内面と密着可能となっている。ゴム栓３０には、前後に貫通した電線挿通孔３１が各キャビティ１８と対応する位置に設けられている。これらの各電線挿通孔３１の内周面にも、全周に亘り３条のリップ片３５が設けられ、電線１４の外周面と密着可能となっている。また、ゴム栓３０には前記した凸部２１と対応する位置に計４個の位置決め孔３３が貫通形成され、凸部２１と嵌まり合うことで位置決めされるようになっている（図１，図２及び図１１参照）。
【００２２】
ゴム栓３０の後面には、ゴム栓押さえ３６が密着して配置されゴム栓３０を抜け止めしている。ゴム栓押さえ３６は平板状に形成され、ゴム栓３０とほぼ同じ大きさで装着筒部２０内に嵌合可能となっている。図４に示すように、ゴム栓押さえ３６には雄端子金具１０を遊挿可能な貫通孔３７Ａ，３７Ｂが設けられている。これらの貫通孔３７Ａ，３７Ｂは、前記したキャビティ１８に対して各ブロックの各段毎に対応したものとなっているが、左右のブロックに対しては両端に位置するキャビティ１８にのみ個別に対応して形成された貫通孔３７Ｂと、各段毎に３つずつのキャビティ１８を一括して対応する貫通孔３７Ａとが形成されている。
【００２３】
図１，図４，図５のように、ゴム栓押さえ３６の後面には、２種類の座屈規制壁３９，４０が装着筒部２０の後方へ向けて延出形成されている。詳細には、まず座屈規制壁３９は、ゴム栓押さえ３６のほぼ全幅方向に亘って水平に延出された形態の横壁で、ゴム栓押さえ３６の上下方向に２段設けられ、各段の貫通孔３７Ａ，３７Ｂ間をそれぞれ仕切るように設けられている。座屈規制壁４０は、各ブロックの貫通孔３７Ａ間を仕切るような形態の縦壁で、上段の座屈規制壁３９から上段の貫通孔３７Ａ，３７Ｂの上側開口縁とほぼ同じ位置まで垂直に延びたものが２本、同様に下段の座屈規制壁３９から下段の貫通孔３７Ａ，３７Ｂの下側開口縁とほぼ同じ位置まで垂直に延びたものが２本形成されている。なお、各座屈規制壁４０のうち、座屈規制壁３９と連結されていない側の端部からゴム栓押さえ３６の上端縁、もしくは下端縁までの間には、座屈規制壁４０より短い突部４１がそれぞれ形成されている。
【００２４】
ゴム栓押さえ３６の上端縁で且つ幅方向における一方側（図４に示す右側）寄りの位置には、前止まり部４４が上方へ向けて突設されている。一方、装着筒部２０の天井壁には、前止まり部４４を挿入可能な溝部２３が装着筒部２０の後端縁から装着筒部２０の奥面とほぼ同位置まで凹設されている（図１，２参照）。また、この溝部２３の奥面からは受け部２４がゴム栓３０の後面とほぼ同じ位置まで突設されており、この受け部２４の下面とゴム栓３０の外周面とは密着可能となっている。ゴム栓押さえ３６を装着筒部２０に収容する際には、前止まり部４４を溝部２３に適合させつつ前方へ押し入れ、ゴム栓押さえ３６の前面がゴム栓３０の後面まで押し込まれると、前止まり部４４が受け部２４の後端縁に当接するため必要以上に前方へ挿入されないようになっている。
【００２５】
図４及び図５に示すように、前記した座屈規制壁３９の幅方向両端縁には、係止突部４２がそれぞれ側方へ突出して設けられている。係止突部４２の前端面は側方へテーパ状に広がって形成され、後端面は係止面４３となっている。一方、図１及び図９のように、装着筒部２０の両側壁には、各係止突部４２と対応する位置に上下２個ずつの係止受け部２５が貫通して設けられ、係止突部４２と係止可能となっている。また、装着筒部２０の両側壁の内面側には、各係止受け部２５と同じ高さ位置にスライド溝２６が形成されている。スライド溝２６は、装着筒部２０の後端縁から係止受け部２５の若干手前の位置まで水平に、且つゴム栓押さえ３６の係止突部４２を受け入れ可能な深さで凹設され、この前端面は内方へ向けてテーパ状に傾斜している。したがって、ゴム栓押さえ３６は、係止突部４２がスライド溝２６に嵌め合わされつつ前方へ押し込まれ、ゴム栓押さえ３６が僅かに湾曲しつつ係止突部４２がスライド溝２６の前端面を乗り越えて係止受け部２５に嵌まり込むと、係止面４３が係止受け部２５の後側開口縁と係止することで装着筒部２０内に抜け止め状態で保持されるようになっている。
【００２６】
ゴム栓押さえ３６の後面には、上記した姿勢矯正部材４５が装着される。姿勢矯正部材４５は、図６のように、基部４６と、挿入ガイド５０と、係止アーム４８とからなり、装着筒部２０に対して後述する仮係止位置と本係止位置との２段階で保持されるようになっている。
【００２７】
まず基部４６は、ゴム栓押さえ３６とほぼ同じ大きさで装着筒部２０内に嵌合可能に形成され、雄端子金具１０を挿入可能な端子挿入孔５１が、前記した各キャビティ１８と対応する位置に複数個、前後に貫通形成され、キャビティ１８と同様に中央及び左右の３つのブロックに分かれている。この端子挿入孔５１は、方形状に形成され雄端子金具１０の本体部１１をがたつきなく挿入可能となっている。
【００２８】
基部４６の前面で上記した端子挿入孔５１の各ブロック間で、且つ前記したガイド孔２２と対応する位置には、一対の挿入ガイド５０が前方へ長く延出されている。一方、図１１に示すように、ゴム栓３０、ゴム栓押さえ３６にも、ガイド孔２２と対応する位置にガイド孔３２，３８がそれぞれ貫通形成され、姿勢矯正部材４５が装着筒部２０に装着される際に挿入ガイド５０がこれらのガイド孔３８，３２，２２に順に嵌入されていくことで姿勢矯正部材４５挿入時の案内が可能となっている。
【００２９】
図６ないし図８に示すように、基部４６の両側壁には上下に一対の補強部４７が設けられ、この補強部４７の前面からはＵ字型の切り欠き部４９が形成された係止アーム４８が板状に延出されている。
【００３０】
これに対して装着筒部２０の両側壁の外面には、図８及び図１２に示すように、この係止アーム４８を嵌め込んで摺動させつつ前後方向に案内するガイド溝２７が凹設されている。ガイド溝２７の上下方向におけるほぼ中央部分には、前記した切り欠き部４９と係止可能な仮係止突起２８と本係止突起２９とが前後方向に並んで突設され、本係止突起２９においては、上下方向に形成されている２箇所の係止受け部２５間に設けられている。また、切り欠き部４９の前端縁はＬ字型に形成されており、これらの係止突起２８，２９も切り欠き部４９と適合するように共にＬ字型をなして形成されることで、姿勢矯正部材４５の傾動が規制され、具体的には、姿勢矯正部材４５が仮係止位置にある状態において姿勢矯正部材４５の後面が鉛直状態となるように保障して雄端子金具１０を真直姿勢に矯正しやすくしている。
【００３１】
また、係止アーム４８の前端縁のうちこれらの係止突起２８，２９と当たり合う部分と、仮係止突起２８の後端縁には、係止アーム４８が外方へ撓み円滑に仮係止突起２８を乗り越えることができるような勾配が設けられている。係止アーム４８の前端縁をガイド溝２７の後端に適合させて前方へ押し込むと、まず係止アーム４８が外方へ撓まされて係止アーム４８の前端縁が仮係止突起２８の後端縁を摺動しつつ乗り越え、係止アーム４８が弾性復帰して切り欠き部４９と仮係止突起２８とが嵌まり合う。図８及び図９に示すように、切り欠き部４９の前端縁と仮係止突起２８の後端縁とが引っ掛かり、且つ係止アーム４８の前端縁が本係止突起２９の後端縁と軽く当接することで姿勢矯正部材４５は仮係止位置に保持される。
【００３２】
この仮係止位置で、雄端子金具１０のキャビティ１８に対する挿抜が行われる。挿入時においては、雄端子金具１０を端子挿入孔５１に挿入すると、本体部１１が端子挿入孔５１にほぼ緊密に嵌入されることで、本体部１１が端子挿入孔５１の内面にガイドされ、雄端子金具１０の姿勢が矯正可能となっている。
【００３３】
且つ、この仮係止位置では、図１０に示すように、姿勢矯正部材４５の基部４６の前面がゴム栓押さえ３６の後面から離間した位置に保持されている。よって、基部４６の前面とゴム栓押さえ３６の後面との間には装着筒部２０の内壁面に囲まれた空間５５が形成されている。この空間５５の長さは、タブ部１２の先端がゴム栓３０の後面に到達する前に端子挿入孔５１にて雄端子金具１０の姿勢が矯正されるように設定されたものとなっている。また、基部４６全体は装着筒部２０の後面から後方へ突出した状態となっている。
【００３４】
ここで、前記したように、ゴム栓押さえ３６の後面には座屈規制壁３９，４０が形成され、基部４６の前面には挿入ガイド５０が形成されているため、これらはこの空間５５内に入り込んだ状態となっている。したがって、この空間５５は、四方が装着筒部２０の内壁面に囲まれ、且つ座屈規制壁３９，４０と挿入ガイド５０により複数個の領域５６に仕切られた状態となっている。詳細には、図１０に示すように、座屈規制壁３９は、ゴム栓押さえ３６の後面から、姿勢矯正部材４５の基部４６前面のうち各段の端子挿入孔５１の間に向けて雄端子金具１０の挿入方向に並行に延出された状態となっている。座屈規制壁４０も同様に、中央ブロックの上・下段の端子挿入孔５１の両側に向けてそれぞれ延出されている。また、挿入ガイド５０は、中央ブロックの中央段の端子挿入孔５１の両側から前方へ延出されている。つまり、各領域５６は、各ブロックの各段毎の端子挿入孔５１と対応したものとなっている。
【００３５】
雄端子金具１０は端子挿入孔５１に挿入されると、対応する領域５６を通ってキャビティ１８へ挿入される。この挿入作業の際、電線１４が領域５６内に進入するまで挿入された状態においては、領域５６の上下の位置に配されている座屈規制壁３９もしくは装着筒部２０の内壁面に電線１４の外周面が当たり合うことにより、電線１４の上下方向への座屈を規制可能となる。また、電線１４が左右方向に座屈してしまった場合でも、座屈規制壁４０、挿入ガイド５０、装着筒部２０の内壁面に電線１４の外周面が当たることで、これらによって仕切られた各領域５６内での座屈に留めることができる。なお、座屈規制壁３９，４０の延出された先端は、基部４６の前面に当接しない位置までとなっているため、この間には若干の隙間が形成されているが、この隙間は、電線１４が座屈しようとしても入りこめないような大きさになっている。
【００３６】
また、雄端子金具１０挿入後には、姿勢矯正部材４５を本係止位置へと移動させる。本係止位置に移動させるために、本係止突起２９の後端縁には、係止アーム４８の前端縁を当接させた状態において姿勢矯正部材４５を強く前方へ押せば、係止アーム４８が外方へ撓んで本係止突起２９を乗り越えさせることが出来るような勾配が設けられている。雄端子金具１０の挿入後に姿勢矯正部材４５を前方へ押し込むと、係止アーム４８の前端縁が本係止突起２９を乗り越え、図１２及び図１３のように、切り欠き部４９の前端縁と本係止突起２９の前端縁とが係止し、且つ補助部４７がこれに対応して切り欠かれた逃がし２７Ａに嵌り込んで、逃がし２７Ａの前端縁と当接し合うことで姿勢矯正部材４５が本係止位置に保持される。
【００３７】
また、この本係止位置は、姿勢矯正部材４５の基部４６が空間５５内に完全に収容される位置となっている。ここで、基部４６の前面には、座屈規制壁３９に対応する２本の横溝状の凹部５２が各段の端子挿入孔５１の間のほぼ中央部分に形成され、座屈規制壁４０と対応する縦溝状の凹部５３が上・下段の中央ブロックの端子挿入孔５１の両側に計４本設けられ、姿勢矯正部材４５が本係止位置に装着された状態において各凹部５２，５３内に座屈規制壁３９，４０を収容可能となっている。したがって、この空間５５に配置されている座屈規制壁３９，４０に阻害されることなく姿勢矯正部材４５を本係止位置に移動可能となる。また、この本係止位置では、姿勢矯正部材４５の後面が装着筒部２０の後面と面一となり、装着筒部２０から突出しないようになっている。なお、基部４６の前面のゴム栓押さえ３６の突部４１に対応する位置には、突部４１を収容可能な凹み５４が形成されている。
【００３８】
次に、上記のように構成された実施形態の作用効果を説明する。組み付けに関しては、まず、雄ハウジング１５の装着筒部２０にゴム栓３０が挿入され、凸部２１に位置決め孔３３を嵌合させつつ装着筒部２０の奥面にゴム栓３０の前面が密着するまでゴム栓３０が嵌め込まれる。
【００３９】
次に、ゴム栓押さえ３６が、前止まり部４４を溝部２３に適合させて装着筒部２０内に押し込まれる。このとき、係止突部４２がスライド溝２６内を前方へ摺動して前端面を乗り越えると、係止面４３と係止受け部２５とが係止し合うと共に、前止まり部４４が受け部２４と当接するため、ゴム栓押さえ３６が装着筒部２０内に保持される。また、この状態では、ゴム栓押さえ３６がゴム栓３０の後面に密着しているため、ゴム栓３０の後方への移動が規制される。
【００４０】
その後、姿勢矯正部材４５が装着筒部２０内に挿入される。まず、図１１のように挿入ガイド５０がゴム栓押さえ３６、ゴム栓３０、端子収容部１７の各ガイド孔３８，３２，２２に順に差し込まれることで姿勢矯正部材４５の雄ハウジング１５に対する位置決めがなされる。そして、係止アーム４８がガイド溝２７に差し込まれ、係止アーム４８が外方へ撓んで係止アーム４８の前端縁が仮係止突起２８を乗り越え、切り欠き部４９に仮係止突起２８が嵌まり込むと、図８から図１０に示すような基部４６が装着筒部２０の後方へ突出した仮係止位置に姿勢矯正部材４５が保持される。
【００４１】
この状態で、雄端子金具１０が端子挿入孔５１からキャビティ１８に向けて挿入される。雄端子金具１０が端子挿入孔５１に挿入されると、この挿入過程において、仮に雄端子金具１０が斜め姿勢で挿入されても、本体部１１が端子挿入孔５１嵌入されることにより、タブ部１２の先端がゴム栓３０の後面に到達する前に電線挿通孔３１とタブ部１２の軸芯が同軸となるようにその姿勢を矯正される。したがって、タブ部１２が円滑に電線挿通孔３１内に挿入され、ゴム栓３０の損傷を防止できる。また、姿勢矯正部材４５が仮係止位置にある状態では、Ｌ字型の切り欠き部４９と仮係止突起２８とが嵌まり合っていることで前記したように姿勢矯正部材４５の後面が雄端子金具１０の挿入方向に対して鉛直状態が保障されているため、雄端子金具１０の姿勢矯正に有効である。
【００４２】
さらに雄端子金具１０をキャビティ１８に向けて挿入していくと、電線１４が空間５５内に進入し始める。このままさらに前方へ押しこみ、雄端子金具１０がキャビティ１８の正規深さまで押し込まれると、雄端子金具１０はランス１９と係止して抜け止めに保持される。
【００４３】
しかし、電線１４が空間５５内に進入してから、仮に雄端子金具１０に対する挿入抵抗が大きいような場合、雄端子金具１０が挿入されずに空間５５内で電線１４が上下もしくは左右方向に座屈してしまう虞がある。
【００４４】
その場合であっても、この実施形態では、空間５５内に座屈規制壁３９を配置しているため、電線１４が上下方向に座屈しようとしても、電線１４が座屈規制壁３９もしくは装着筒部２０の内壁面にぶつかることで座屈が規制される。同様に、電線１４が左右方向に座屈しても、空間５５の全幅に亘ってではなく、座屈規制壁４０、挿入ガイド５０、装着筒部２０の内壁面により仕切られた領域５６毎の範囲内における座屈に留めることが出来る。
【００４５】
したがって、空間５５内に座屈規制壁３９，４０を配置して、これに電線１４の外周面を当接させることで、空間５５内での電線１４の座屈を規制可能となり、挿入力が雄端子金具１０の挿入方向にそのまま伝えられるため、雄端子金具１０の円滑な挿入が実現できる。
【００４６】
雄端子金具１０の挿入作業が行われた後に、姿勢矯正部材４５が図１２から図１４に示す本係止位置に装着される。姿勢矯正部材４５を仮係止位置からさらに前方へ押し込むと、係止アーム４８の前端縁が本係止突起２９を乗り越え切り欠き部４９と本係止突起２９とが嵌まり合うことで本係止位置に姿勢矯正部材４５が保持される。基部４６には凹部５２，５３が凹設されているため、座屈規制壁３９，４０が凹部５２，５３に収容され、姿勢矯正部材４５が本係止位置に移動可能となる。また、姿勢矯正部材４５が装着筒部２０内に完全に収容されることで、姿勢矯正部材４５が雄ハウジング１５から無駄に突出しなくてすむ。また、電線１４の座屈を規制することで、姿勢矯正部材４５の仮係止位置から本係止位置へ移動作業も、電線１４に阻害されることなく円滑に行える。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、雄側のコネクタについて示したが、雌側のコネクタについても同様に適用できる。
【００４８】
（２）上記した実施形態では、幅方向のキャビティ１８間のピッチを狭くして３個もしくは４個のキャビティ１８毎にブロックに分けて形成し、このブロック間に対応する位置に座屈規制壁４０を設けたものについて示したが、各キャビティ間のピッチの広いものであれば、各キャビティ間に対応する位置に座屈規制壁を設けてもよい。
【００４９】
（３）上記した実施形態では、座屈規制壁３９，４０をゴム栓押さえ３６に一体形成したものを示したが、別体に形成した座屈規制壁を装着筒部内に取り付けるものであっても良い。
【００５０】
（４）上記した実施形態では、姿勢矯正部材４５を仮係止位置から前方の本係止位置へ移動させるものについて示したが、コネクタハウジングの前後方向の寸法の小型化が求められないような場合であれば、仮係止位置において前方への移動が不能な状態で取り付けるものであっても良い。
【００５１】
（５）また、姿勢矯正部材を本係止位置に移動させないようなものにおいては、座屈規制壁を姿勢矯正部材の基部の前面から空間内へ向けて一体に延出形成しても良い。
【図面の簡単な説明】
【図１】本発明の実施形態における分解断面図
【図２】雄ハウジングの背面図
【図３】ゴム栓の背面図
【図４】ゴム栓押さえの背面図
【図５】その平面図
【図６】姿勢矯正部材の平面図
【図７】姿勢矯正部材の正面図
【図８】姿勢矯正部材が仮係止位置に保持された状態を示す側面図
【図９】その一部切り欠き平面図
【図１０】その側断面図
【図１１】姿勢矯正部材の挿入ガイドが挿入されている様子を示す側断面図
【図１２】姿勢矯正部材が本係止位置に保持された状態を示す側面図
【図１３】その一部切り欠き平面図
【図１４】その側断面図
【図１５】従来例における一部切り欠き側面図
【符号の説明】
１０…雄端子金具（端子金具）
１１…本体部
１４…電線
１５…雄ハウジング（コネクタハウジング）
１８…キャビティ
２０…装着筒部（収容部）
３０…ゴム栓
３１…電線挿通孔
３６…ゴム栓押さえ
３７Ａ，３７Ｂ…貫通孔
３９，４０…座屈規制壁
４５…姿勢矯正部材
５１…　端子挿入孔
５２，５３…凹部
５５…空間
【図１】
2004063266.tif 000003
【図２】
2004063266.tif 000004
【図３】
2004063266.tif 000005
【図４】
2004063266.tif 000006
【図５】
2004063266.tif 000007
【図６】
2004063266.tif 000008
【図７】
2004063266.tif 000009
【図８】
2004063266.tif 000010
【図９】
2004063266.tif 000011
【図１０】
2004063266.tif 000012
【図１１】
2004063266.tif 000013
【図１２】
2004063266.tif 000014
【図１３】
2004063266.tif 000015
【図１４】
2004063266.tif 000016
【図１５】
2004063266.tif 000017